(57)【要約】      （修正有）【課題】金属アレルギーを引き起こす可能性がある金属を含む製品から発生した金属イオンが、着用者の皮膚に浸透することを防ぐための、身体に対して安全性の高い素材で製造され、かつ耐久性の高い金属イオン遮断シートを提供する。【解決手段】まず、シリコンや樹脂等、安全性の高い素材１及び３を、耐久性を向上させるための芯材２の両側に設け、さらに、片面に素材１及び３を直射日光等から発生する劣化を防ぐためのカバー４を設ける。そして、これらの周囲をデニムの金属ボタンや、バックの金具などの金属製品の周囲と縫い合わせることでこの問題を解決する。【選択図】図１
0003163650.tif 000002
【実用新案登録請求の範囲】
【請求項１】
水銀・ニッケル・コバルト・クロム・すず・パラジウムなどの、金属アレルギーを引き起こす可能性がある金属を含む製品から発生した金属イオンが、着用者の皮膚に浸透することを防ぐための、身体に対して親和性の高い素材で製造された金属イオン遮断シートであって、芯材と、前記芯材の表裏面を被覆する本体と、前記本体の少なくとも表面を被覆するカバーと、並びに、前記着用者の皮膚に前記金属を含む製品の表面が触れない様前記芯材、前記本体及び前記カバーを固定するための固定具と、からなり、前記固定具は、前記金属を含む製品の周囲に固定されることを特徴とする金属イオン遮断シート。
【考案の詳細な説明】
【技術分野】
【０００１】
本考案は、金属アレルギーを引き起こす可能性のある金属製品から、着用者の皮膚を保護するための金属イオン遮断シートに関するものである。
【背景技術】
【０００２】
金属は、我々の生活において重要な役割を果たす物として、我々と日々接触している。
【０００３】
金属は、服飾品・食品・化粧品など、あらゆるものに含まれ、我々の生活に大きな利益を齎すと共に、大きな弊害をも齎している。金属アレルギーはその弊害の一例である。
【０００４】
しかし、現在日本において、感作の認められる金属を使用した製品の安全基準や、消費者に対する情報開示について、明確に定めた基準や法制度は存在しない。
【０００５】
したがって、生産者自らが金属製品自体から金属アレルギーを引き起こす可能性のある金属を取り除く努力を行うことや、金属アレルギーを引き起こす可能性のある金属製品から着用者の皮膚を保護する技術などが求められている。
【０００６】
金属アレルギーの発症を防ぐための製品に関しては、これまでにも報告例が確認されている（参考特許文献１参照）。
【０００７】
［参考特許文献１］特開平８−１８８７６５
【０００８】
上記特許文献1は、抗菌樹脂に複数の突起を設け、粘着テープにより金属製品に固定するものである。
【考案の概要】
【考案が解決しようとする課題】
【０００９】
しかしながら、この方法には問題がある。一点目は接着剤の安全性、二点目は粘着テープの耐久性、三点目は樹脂の直射日光による劣化である。
【課題を解決するための手段】
【００１０】
本考案は、このような従来の問題を解決しようとするもので、金属アレルギーを引き起こす可能性のある金属製品から発生する金属イオンを遮断し、
着用者の皮膚を保護することで金属アレルギーの発症を防ぎ、かつ、人体に対して安全性、および耐久性の高い製品の提供を目的とするものである。
【００１１】
まず、接着剤の安全性についてである。上記特許文献1において、粘着シートによって発明品を金属製品に装着するという旨の記述があるが、粘着シートに含まれる接着剤は、人体に対して有害な物質を含み、安全性に乏しい。
【００１２】
金属アレルギーの発症を防ぐための発明品や考案の機能の本質は、人体の安全を確保することにあり、仮に金属アレルギーの発症を防ぐことができたとしても、発明品や考案に含まれる物質によって人体に害を及ぼすのならば、その発明品や考案は機能するとは言い難い。
【００１３】
従って本考案では、接着剤を使用せず、本体の周囲を人体に無害な繊維で金属製品の周囲に縫いつける。
【００１４】
つづいて、粘着テープの耐久性についてであるが、粘着テープの耐久性は非常に低く、水洗いや長時間の使用に堪えないことは想像に用意である。
【００１５】
従って本考案では、上記の通り本体の周囲を人体に無害な繊維で金属製品の周囲に縫いつけることで、耐久性を向上させる。
【００１６】
さいごに、樹脂の直射日光による劣化については、本体の片面に、日光を通さない素材を用いてコーティングを施すことや、布状の素材を用いてカバーを設けることによって、改善する。
【考案の効果】
【００１７】
本製品によれば、金属アレルギーを引き起こす可能性がある金属を含む製品を、その金属元素に対してアレルギーを持つ人が着用した場合においても、金属アレルギー症状を発症しない。
【００１８】
さらに、金属アレルギーを持っていない人が、新たに金属アレルギー患者になることを防ぐこともできる。
【００１９】
安全性が高い素材のみで構成されるため、アトピーや敏感肌の人でも使用することができ、洗濯や外で干すことや長時間の使用も可能になる。
【００２０】
本考案に基づき製品化したものを使用して効果を実験し、効果があることを明らかにした。実験の結果を図３Ａから図３Ｄに示す。
【図面の簡単な説明】
【００２１】
【図１】本考案に係る製品の中央横断面図である。
【図２】本考案に係る製品の平面図である。
【図３Ａ】実験を行う前の被験者の皮膚の状態である。
【図３Ｂ】実験開始直後の被験者の皮膚の状態である。
【図３Ｃ】実験開始から４８時間後の被験者の皮膚の状態である。
【図３Ｄ】実験終了から２４時間後の被験者の皮膚の状態である。
【考案を実施するための形態】
【００２２】
本体１と本体３で、芯材２を挟む。さらにカバー４で片面を覆い、固定具５で、本体１と本体３と芯材２そしてカバー４を貫通させ、金属製品６の周囲に縫い合わせる。固定具５は本体の周囲に沿って設ける。
【００２３】
本体１と本体３は少なくとも安全性の高い素材であり、かつ金属イオンの浸透を防ぐため水の分子が浸透しない素材でなければならない。現在においては、シリコンや樹脂そしてチタンなどが最も安全性が高い素材とされており、これらを使用することが望ましい。
【００２４】
また芯材２は、耐久性が高く、曲げることができ、かつ穴が開けることができる必要がある。ガラス繊維などを使用するとよい。
【００２５】
そしてカバー４は、少なくとも安全性の高い素材であり、かつ日光を遮る素材でなければならない。使用感の向上のため、吸水性があるとなお良い。染色を行っていない綿などが望ましい。
【００２６】
さらに固定具５は、少なくとも安全性の高い素材でなければならない。染色を行っていない綿糸などが望ましい。
【００２７】
続いて金属製品６は、デニムの金属ボタンや、バックの金具などを想定しており、水銀やニッケルなど有害な金属を含むものとする。
【００２８】
最後に人体７は、金属製品６の着用者である。
【符号の説明】
【００２９】
１  金属製品に取り付けられる側の本体
２  芯材
３  人体に触れる側の本体
４  カバー
５  固定具
６  金属製品
７  人体
【図１】
0003163650.tif 000003
【図２】
0003163650.tif 000004
【図３Ａ】
0003163650.tif 000005
【図３Ｂ】
0003163650.tif 000006
【図３Ｃ】
0003163650.tif 000007
【図３Ｄ】
0003163650.tif 000008
【手続補正書】
【提出日】平成22年6月19日(2010.6.19)
【手続補正１】
【補正対象書類名】実用新案登録請求の範囲
【補正対象項目名】全文
【補正方法】変更
【補正の内容】
【実用新案登録請求の範囲】
【請求項１】
水銀・ニッケル・コバルト・クロム・すず・パラジウムなどの、金属アレルギーを引き起こす可能性がある金属を含む製品から発生した金属イオンが、
着用者の皮膚に浸透することを防ぐための、身体に対して親和性の高い素材で製造された、前記金属を含む製品を完全に覆う形状の、金属イオン遮断シートであって、芯材と、前記芯材の両面に設けられた安全性の高い素材でできた本体と、前記本体の少なくとも表面を被覆するカバーと、並びに、その前記芯材・本体・カバーの周囲に設けられた固定具とからなり、圧着されシート状になった芯材とそれを挟む本体及びカバーが、前記金属を含む製品を完全に覆うように、固定具によって、前記金属を含む製品の設けられた生地に対して縫い付けることで固定されることを、特徴とする金属イオン遮断シート。
【手続補正２】
【補正対象書類名】明細書
【補正対象項目名】全文
【補正方法】変更
【補正の内容】
【考案の詳細な説明】
【技術分野】
【０００１】
本考案は、金属アレルギーを引き起こす可能性のある金属製品から、着用者の皮膚を保護するための金属イオン遮断シートに関するものである。
【背景技術】
【０００２】
金属は、我々の生活において重要な役割を果たす物として、我々と日々接触している。
【０００３】
金属は、服飾品・食品・化粧品など、あらゆるものに含まれ、
我々の生活に大きな利益を齎すと共に、大きな弊害をも齎している。金属アレルギーはその弊害の一例である。
【０００４】
しかし、現在日本において、感作の認められる金属を使用した製品の安全基準や、消費者に対する情報開示について、明確に定めた基準や法制度は存在しない。
【０００５】
したがって、生産者自らが金属製品自体から金属アレルギーを引き起こす可能性のある金属を取り除く努力を行うことや、金属アレルギーを引き起こす可能性のある金属製品から着用者の皮膚を保護する技術などが求められている。
【０００６】
金属アレルギーの発症を防ぐための製品に関しては、これまでにも報告例が確認されている（参考特許文献１参照）。
【０００７】
［参考特許文献１］特開平８−１８８７６５
【０００８】
上記特許文献1は、抗菌樹脂に複数の突起を設け、粘着テープにより金属製品に固定するものである。
【考案の概要】
【考案が解決しようとする課題】
【０００９】
しかしながら、この方法には問題がある。一点目は接着剤の安全性、二点目は粘着テープの耐久性、三点目は樹脂の直射日光による劣化である。
【課題を解決するための手段】
【００１０】
本考案は、このような従来の問題を解決しようとするもので、金属アレルギーを引き起こす可能性のある金属製品から発生する金属イオンを遮断し、着用者の皮膚を保護することで金属アレルギーの発症を防ぎ、かつ、人体に対して安全性、および耐久性の高い製品の提供を目的とするものである。
【００１１】
まず、接着剤の安全性についてである。上記特許文献1において、粘着シートによって発明品を金属製品に装着するという旨の記述があるが、粘着シートに含まれる接着剤は、人体に対して有害な物質を含み、安全性に乏しい。
【００１２】
金属アレルギーの発症を防ぐための発明品や考案の機能の本質は、人体の安全を確保することにあり、仮に金属アレルギーの発症を防ぐことができたとしても、発明品や考案に含まれる物質によって人体
に害を及ぼすのならば、その発明品や考案は機能するとは言い難い。
【００１３】
従って本考案では、接着剤を使用せず、本体の周囲を人体に無害な繊維で、金属製品が設けられた生地に対して、金属製品の周囲に沿って縫いつける。
【００１４】
つづいて、粘着テープの耐久性についてであるが、粘着テープの耐久性は非常に低く、水洗いや長時間の使用に堪えないことは想像に容易である。
【００１５】
従って本考案では、上記の通り本体の周囲を人体に無害な繊維で、金属製品を覆うように、金属製品の設けられた生地に対して縫いつけることで、耐久性を向上させる。
【００１６】
さいごに、樹脂の直射日光による劣化については、本体の片面に、日光を通さない素材を用いてコーティングを施すことや、布状の素材を用いてカバーを設けることによって、改善する。
【考案の効果】
【００１７】
本製品によれば、金属アレルギーを引き起こす
可能性がある金属を含む製品を、その金属元素に対してアレルギーを持つ人が着用した場合においても、金属アレルギー症状を発症しない。
【００１８】
さらに、金属アレルギーを持っていない人が、新たに金属アレルギー患者になることを防ぐこともできる。
【００１９】
安全性が高い素材のみで構成されるため、アトピーや敏感肌の人でも使用することができ、洗濯や外で干すことや長時間の使用も可能になる。
【００２０】
本考案に基づき製品化したものを使用して効果を実験し、効果があることを明らかにした。実験の結果を図３Ａから図３Ｄに示す。
【図面の簡単な説明】
【００２１】
【図１】本考案に係る製品の断面図である。
【図２】本考案に係る製品の平面図である。
【図３Ａ】実験を行う前の被験者の皮膚の状態である。
【図３Ｂ】実験開始直後の被験者の皮膚の状態である。
【図３Ｃ】実験開始から４８時間後の被験者の皮膚の状態である。
【図３Ｄ】実験終了から２４時間後の被験者の皮膚の状態である。
【考案を実施するための形態】
【００２２】
本体１と本体３で、芯材２を挟む。さらにカバー４で片面を覆い、固定具５で、本体１と本体３と芯材２そしてカバー４を貫通させ、生地８に設けられた金属製品６の周囲に縫い合わせる。固定具５は本体の周囲に沿って設ける。
【００２３】
芯材２と本体１と本体３とカバー４はほぼ同様の大きさで、圧着され、シート状であることが望ましく、その周囲を固定具５で、金属製品６の設けられた生地８に対し、金属製品６の周囲に沿うように縫い付けることによって固定される。
【００２４】
本体１と本体３は少なくとも安全性の高い素材であり、かつ金属イオンの浸透を防ぐため水の分子が浸透しない素材でなければならない。現在においては、シリコンや樹脂そしてチタンなどが最も安全性が高い素材とされており、これらを使用することが望ましい。
【００２５】
また芯材２は、耐久性が高く、曲げることができ、かつ穴が開けることができる必要がある。ガラス繊維などを使用するとよい。
【００２６】
そしてカバー４は、少なくとも安全性の高い素材であり、かつ日光を遮る素材でなければならない。使用感の向上のため、吸水性があるとなお良い。染色を行っていない綿などが望ましい。
【００２７】
さらに固定具５は、少なくとも安全性の高い素材でなければならない。染色を行っていない綿糸などが望ましい。
【００２８】
続いて金属製品６は、デニムの金属ボタンや、バックの金具などを想定しており、水銀やニッケルなど有害な金属を含むものとする。
【００２９】
人体７は、金属製品６の着用者である。
【００３０】
最後に生地８は、金属製品６が設けられている生地を想定している。
【符号の説明】
【００３１】
１  金属製品に取り付けられる側の本体
２  芯材
３  人体に触れる側の本体
４  カバー
５  固定具
６  金属製品
７  人体
８  生地
【手続補正３】
【補正対象書類名】図面
【補正対象項目名】全図
【補正方法】変更
【補正の内容】
【図１】
0003163650.tif 000009
【図２】
0003163650.tif 000010
【図３Ａ】
0003163650.tif 000011
【図３Ｂ】
0003163650.tif 000012
【図３Ｃ】
0003163650.tif 000013
【図３Ｄ】
0003163650.tif 000014